(57)【要約】      （修正有）【課題】光ファイバ心線や光接続部を十分に整理して収納する光成端箱を提供する。【解決手段】ベース体２の部材載置面２ａに第１の心線押さえを立設し、部材載置面２ａに回動自在もしくは着脱自在に棚板４を連結し、棚板４の上面に第２の心線押さえ７を立設する。光ファイバ心線Ｃの一端側を巻回して棚板４と部材載置面２ａとの間に収納し、光ファイバ心線Ｃの他端側を巻回して棚板４上に収納する。第１の心線押さえの先端は部材載置面２ａと並行に屈曲して光ファイバ心線Ｃの一端側の上方を覆う。第２の心線押さえ７の先端７ａは棚板４と並行に屈曲して光ファイバ心線Ｃの他端側の上方を覆う。棚板４を第１のファイバ押さえの先端に載置する。第２の心線押さえ７の先端下方の棚板部位に、光ファイバ心線Ｃの一端側の収納状態を目視できるように棚板厚み方向に貫通する貫通孔４ｂを形成する。【選択図】図１
0003181286.tif 000002
【実用新案登録請求の範囲】
【請求項１】
光接続部によって連結された光ファイバ心線が前記光接続部とともに収納される光成端箱であって、
部材載置面を有するベース体と、
前記部材載置面を覆う蓋体と、
前記ベース体内に前記部材載置面と並行に配置されて回動自在もしくは着脱自在に前記ベース体に連結された棚板と、
前記部材載置面に立設された第１の心線押さえと、
前記棚板の上面に立設された第２の心線押さえと、
有し、
前記光ファイバ心線の一端側は巻回されて棚板と前記部材載置面との間に収納されており、
前記光ファイバ心線の他端側は巻回されて前記棚板上に収納されており、
前記第１の心線押さえの先端は前記部材載置面と並行に屈曲されて前記光ファイバ心線の一端側の上方を覆っており、
前記第２の心線押さえの先端は前記棚板と並行に屈曲されて前記光ファイバ心線の他端側の上方を覆っており、
前記棚板は、前記第１のファイバ押さえの先端上に載置されており、
前記第２の心線押さえの先端下方の棚板部位には、棚板厚み方向に貫通する貫通孔が形成されている、
ことを特徴とする光成端箱。
【請求項２】
前記部材載置面に設けられて前記光接続部を挟持する少なくとも３つの突起と、
前記光接続部を間にして向い合う一対の前記突起の先端どうしを着脱自在に連結する弾性連結部と、
をさらに有することを特徴とする請求項１に記載の光成端箱。
【請求項３】
前記光ファイバ心線の他端には、周面両側に鍔を有する中継アダプタが連結されており、
前記ベース体の前記部材載置面には、対向配置されて前記鍔に係合する一対のアダプタ係合部をさらに備えており、
前記蓋体によるベース体封止時、前記蓋体内面は、前記中継アダプタに当接して前記鍔が前記アダプタ係合部から抜け出すのを阻止する、
ことを特徴とする請求項１または２に記載の光成端箱。
【請求項４】
前記光ファイバ心線の他端から分岐スリーブを介して単芯もしくは複数芯の光ファイバが分岐されたうえで、当該分岐光ファイバに光コネクタが光接続されており、
前記光コネクタは、前記中継アダプタを介して他の光コネクタに光接続されるものであって、当該光コネクタは前記中継アダプタに連結されており、
前記棚板の上面には、前記第２の心線押さえとの間に前記分岐スリーブを挟み込んで保持する線状突起が設けられている、
ことを特徴とする請求項３に記載の光成端箱。
【請求項５】
前記光ファイバ心線の一端は光ファイバケーブルから引き出されており、
前記ベース体の前記部材載置面には、前記光ファイバ心線の一端の長手方向に沿って延びる複数のケーブル連結部が並列配置されており、
前記光ファイバケーブルのファイバ心線延出端は前記ケーブル連結部に連結されており、一つの光ファイバケーブルに連結されるケーブル連結部の数を、光ファイバケーブルのケーブル径に応じて変動させる、
ことを特徴とする請求項１ないし４のいずれかに記載の光成端箱。
【考案の詳細な説明】
【技術分野】
【０００１】
本考案は、光ファイバ心線を光接続部とともに収納する光成端箱に関する。
【背景技術】
【０００２】
光通信に用いられる光ファイバは通信需要が増大すると、増大した需要に応じて増設される。増設に際しては、光ファイバ心線の分岐が行われる。光ファイバ心線の分岐は光融着部等の光接続部を介して実施される。分岐元の光ファイバ心線と分岐先の光ファイバ心線とからそれぞれ余長部が引き出されて互いに光接続部を介して光接続される。この状態で各心線の余長部と光接続部とが光成端箱に収納される。
【先行技術文献】
【特許文献】
【０００３】
【特許文献１】特開２０１１−１３４９７
【考案の概要】
【考案が解決しようとする課題】
【０００４】
光成端箱は、複数の光ファイバ心線分岐に対応するように構成されているが、分岐数が増大してくると、光成端箱に収納処理される余長部を含めた光ファイバ心線や光接続部の数が増加する。しかしながら、余長部を含めた光ファイバ心線は構造的に冗長にならざるを得ず、そのため収納数を増やすためには、光ファイバ心線や光接続部を十分に整理したうえで光成端箱に収納しなければならず、そのような整理整頓が可能な光成端箱が要望されていた。
【０００５】
したがって本考案は、冗長になる光ファイバ心線や光接続部を十分に整理して収納可能な光成端箱を提供することを主たる目的としている。
【課題を解決するための手段】
【０００６】
上記課題を解決するために、本考案は、光接続部によって連結された光ファイバ心線が前記光接続部とともに収納される光成端箱において、次の構成を備える。すなわち、本考案の光成端箱は、部材載置面を有するベース体と、前記部材載置面を覆う蓋体と、前記ベース体内に前記部材載置面と並行に配置されて回動自在もしくは着脱自在に前記ベース体に連結された棚板と、前記部材載置面に立設された第１の心線押さえと、前記棚板の上面に立設された第２の心線押さえとを有し、前記光ファイバ心線の一端側は巻回されて前記棚板と前記部材載置面との間に収納されており、前記光ファイバ心線の他端側は巻回されて棚板上面上に収納されており、前記第１の心線押さえの先端は前記部材載置面と並行に屈曲されて前記光ファイバ心線の一端側の上方を覆っており、前記第２の心線押さえの先端は前記棚板と並行に屈曲されて前記光ファイバ心線の他端側の上方を覆っており、前記棚板は、前記第１のファイバ押さえの先端上に載置されており、前記第２の心線押さえの先端下方の棚板部位には、棚板厚み方向に貫通する貫通孔が形成されている。
【０００７】
本考案によれば、巻回された光ファイバ心線の両端それぞれが棚板の上下それぞれに整頓された状態で収納される。しかも光ファイバ心線の両端それぞれの上方が第１の心線押さえの先端または第２の光心線押さえの先端によって覆われているので、収納時において光ファイバ心線が巻回部位の上方に飛び出してばらばらに離散することなく光成端箱内に収まる。また、棚板は第１の心線押さえの先端上に載置されることで光成端箱内の所定位置に位置決め精度高く配置されることになる。しかもこのような棚板の位置決めを、光ファイバ心線の整頓収納のために設置する第１の心線押さえを流用して行うので、部品点数の増加によるコストアップにもならない。なお、光ファイバ心線の一端側は収納後に棚板によって覆われるために、心線一端側の収納後にその収納状態を確認しにくいが、本考案では、第２の心線押さえの先端下方の棚板部位に棚板厚み方向に貫通する貫通孔を設けているので、収納後の心線一端側の収納状態を貫通孔を介して目視確認することができる。そのため、光ファイバ心線の収納状態のチェックを容易かつ完全に行えるようになる。
【０００８】
本考案には、前記部材載置面に設けられて前記光接続部を挟持する少なくとも３つの突起と、前記光接続部を間にして向い合う一対の前記突起の先端どうしを着脱自在に連結する弾性連結部とをさらに有する、という態様がある。この態様によれば、光接続部を含めた各種部材が整頓された状態で脱落することなく光成端箱に収納されることになる。
【０００９】
本考案には、前記光ファイバ心線の他端には周面両側に鍔を有する中継アダプタが連結されており、前記ベース体の前記部材載置面には、対向配置されて前記鍔に係合する一対のアダプタ係合部をさらに備えており、前記蓋体によるベース体封止時、前記蓋体内面は、前記中継アダプタに当接して前記鍔が前記アダプタ係合部から抜け出すのを阻止する、という態様がある。この態様によれば、中継アダプタも整頓された状態で脱落することなく光成端箱に収納されることになる。
【００１０】
本考案には、前記光ファイバ心線の他端から分岐スリーブを介して単芯もしくは複数芯の光ファイバが分岐されたうえで、当該分岐光ファイバに光コネクタが光接続されており、前記光コネクタは、前記中継アダプタを介して他の光コネクタに光接続されるものであって、当該光コネクタは前記中継アダプタに連結されており、前記棚板の上面には、前記第２の心線押さえとの間に前記分岐スリーブを挟み込んで保持する線状突起が設けられている、という態様がある。この態様によれば、第２の心線押さえを利用して、線状突起という簡単な構造を追加するだけで、分岐スリーブを保持することが可能になる。
【００１１】
本考案には、前記光ファイバ心線の一端は光ファイバケーブルから引き出されており、前記ベース体の前記部材載置面には、前記光ファイバ心線の一端の長手方向に沿って延びる複数のケーブル連結部が並列配置されており、前記光ファイバケーブルのファイバ心線延出端は前記ケーブル連結部に連結されており、一つの光ファイバケーブルに連結されるケーブル連結部の数を、光ファイバケーブルのケーブル径に応じて変動させる、という態様がある。この態様によれば、光ファイバ心線の一端に連続する光ファイバケーブルも整頓された状態で脱落することなく光成端箱に収納されることになる。
【考案の効果】
【００１２】
本考案によれば、冗長になる光ファイバ心線や光接続部を十分に整理して収納可能となる。
【図面の簡単な説明】
【００１３】
【図１】図１は本考案の一実施形態の光成端箱の構成を示す一部切欠平面図である。
【図２】図２は本考案の一実施形態の光成端箱の構成を示すＫ−Ｋ線断面図である。
【図３】図３は蓋体を取り外しかつ棚板を回避回動させた状態の光成端箱を示す縦断面図である。
【図４】図４は蓋体と棚板とを取り外した状態の光成端箱を示す縦断面図である。
【図５】図５は大径の光ファイバケーブルを把持した状態でのケーブル把持部の要部を示す拡大斜視図である。
【図６】図６は小径の光ファイバケーブルを把持した状態でのケーブル把持部の要部を示す拡大斜視図である。
【考案を実施するための形態】
【００１４】
次に、本考案の実施の形態の光成端箱１を図を参照して順に詳説する。光成端箱１の構成では、一つもしくは複数の光ファイバケーブルＣの一端が光成端箱１に把持されるようになっている。光ファイバケーブルＣがテンションメンバＢを有する場合には、光ファイバケーブルＣからテンションメンバＢが引き出されて光成端箱１の内部に連結される。光ファイバケーブルＣの一端が光成端箱１に把持された状態で光ファイバケーブルＣから複数の光ファイバ心線Ａ１が十分な余長部Ａ１ａを設けて引き出される。余長部Ａ１ａは巻回されて光成端箱1に収納される。さらにこの状態で複数の光ファイバ心線Ａ１に含まれる一つまたは複数の任意の光ファイバ心線Ａ１の先端に光コネクタＤ付きのもう一つの光ファイバ心線Ａ２の基端が光融着部Ｅを介して光接続される。光ファイバ心線Ａ２は十分な余長部Ａａ２を有しており、余長部Ａａ２は光融着部Ｅとともに光成端箱１に収納される。光コネクタＤは、中継アダプタＧを介して図示しない外部のさらにもう一つの光ファイバ心線の光コネクタに光接続可能である。中継アダプタＧは光成端箱１の端部に装着固定される。各光ファイバ心線Ａ２はｎ芯（ｎ：自然数）の光ファイバを含んでいる。さらには、このような構造を有する複数の光ファイバ心線Ａ２の中の任意の光ファイバ心線Ａ２から、単芯もしくはｍ芯（ｍ：ｍ≦ｎを満たす自然数）の光ファイバが分岐スリーブＪを介して分岐されており、分岐された光ファイバの先端に上述の光コネクタＤが光接続されている。
【００１５】
以下、光ファイバ心線Ａ１を接続元光ファイバ心線Ａ１と称し、光ファイバ心線Ａ２を接続先光ファイバ心線Ａ２と称し、余長部Ａａ１を融着接続余長部Ａａと称し、余長部Ａａ２を心線余長部Ａａ２と称する。また、本実施の形態では、光融着部Ｅから光接続部の一例が構成され、光融着部Ｅによって連結された接続元光ファイバ心線Ａ１と接続先光ファイバ心線Ａ２とから光ファイバ心線の一例が構成され、接続元光ファイバ心線Ａ１から光ファイバ心線の一端側の一例が構成され、接続先光ファイバ心線Ａ２から光ファイバ心線の他端側の一例が構成される。
【００１６】
本考案の一実施形態の光成端箱１の構成を図１〜図６を参照して説明する。光成端箱１は、ベース体２と蓋体３と棚板４とを備えている。ベース体２と蓋体３と棚板４とは、それぞれ樹脂成形体から構成されている。ベース体２は、上面が部材載置面２ａとなった平板形状をしている。蓋体３は内部空間を有する浅底の立方体形状を有しており、一方の主面３ａと、図１において下側に位置する側面３ｂとが開放されている。蓋体３の開放主面３ａは部材載置面２ａの平面形状と同等の形状を有しており、蓋体３は部材載置面２ａを覆ってベース体２に着脱自在に装着されている。棚板４は部材載置面２ａの図１中の上側半分を覆う大きさの矩形形状をしており、ベース体２の部材載置面２ａにベース体２と平行に装着されている。棚板４の一端４ａとベース体２の図１中で上側に位置する側面２ｂとの間にはヒンジ５が設けられており、棚板４はヒンジ５を介してベース体２に回動自在かつ着脱自在に連結されている。
【００１７】
部材載置面２ａには、第１の心線押さえ６がベース体２と一体に立設されている。第１の心線押さえ６は棚板４の下方に位置している。第１の心線押さえ６の先端６ａは、部材載置面２ａと平行に屈曲されている。第１の心線押さえ６は、棚板４の四辺それぞれの下方に計４個設けられている。第１の心線押さえ６の先端６ａそれぞれは、互いの同一高さに位置しており、部材載置面２ａの平面方向中央側に向けて延出している。先端６ａの上面は平坦面となっている。棚板４は、第１の心線押さえ６の先端６ａ上に載置されている。第１の心線押さえ６によって囲まれた棚板下方の部材載置面２ａ上の空間を第１の収納空間１３と称する。
【００１８】
棚板下方の部材載置面２ａには、光融着部Ｅを挟持する複数の突起１０と、光融着部Ｅを挟持した状態の突起１０の先端どうしを着脱自在に連結する弾性連結部１１とを有する。突起１０はベース体２と一体に成形されている。突起１０は、一つの光融着部Ｅに付き少なくとも３つ（図では４つ）設けられている。以下、一つの光融着部Ｅに応じて組となって光融着部Ｅを挟持する複数の突起１０を突起組という。各突起組を構成する複数の突起１０の対向間隔（光融着部挟持間隔）は光融着部Ｅの幅（直径）と同等になっている。突起組は、それぞれ一つの光融着部Ｅを挟持できるように構成されている。突起組は複数設けられ、突起組それぞれは互いに横並びに並列配置されている。
【００１９】
弾性連結部１１は、シリコンゴム等の弾性体の帯板からなり、その両端には突起１０の先端に弾性係合する連結孔１１ａを有している。弾性連結部１１は、隣接する複数の突起組の上方を覆ってその斜め方向に沿って配置されている。これら複数の突起組の組列両端に位置しかつ一つないし複数の光融着部Ｅを間にして向い合う一対の突起１０の先端に連結孔１１ａそれぞれを係合させることで、弾性連結部１１は、前記複数の突起組によって挟持される一つないし複数の光融着部Ｅの抜け止めを行っている。
【００２０】
棚板４には、第２の心線押さえ７が棚板４と一体に設けられている。第２の心線押さえ７は、棚板４の上面に立設されており、その先端７ａは、棚板４と平行に屈曲されている。第２の心線押さえ７は、棚板４の四辺それぞれに計４個設けられている。第２の心線押さえ７の先端７ａそれぞれは、棚板４の平面方向中央側に向けて延出している。棚板４の第２の心線押さえ７の下方部位それぞれには、棚板厚み方向に貫通する貫通孔４ｂが形成されている。また、棚板４の角部には、光ファイバ心線を棚板上下に挿通可能とする切欠４ｃが形成されている。第２の心線押さえ７によって囲まれた棚板上方の空間を第２の収納空間１４と称する。棚板４の上面にはさらに線状突起２０が設けられている。線状突起２０については、後述する。
【００２１】
棚板４に覆われていない部材載置面２ａの部位、すなわち、図１における部材載置面２ａの下側部位には、ケーブル把持部８とアダプタ係合部９とテンションメンバクランプ１２とが設けられている。ケーブル把持部８とアダプタ係合部９とは、蓋体３の開放側面３ｂの近傍に開放側面３ｂに沿って並列配置されている。ケーブル把持部８は、図５、図６に示すように、ベース体２の部材載置面２ａに立設されて、蓋体３の開放側面３ｂと平行に線状に延出する基部８ａと、基部８ａの先端から部材載置面２ａの平面方向に沿いかつ開放側面３ｂと直交する方向に沿って屈曲して櫛歯状に延出する複数のケーブル連結部８ｂとを備えている。ここで、光ファイバケーブルＣがケーブル把持部８に把持された状態において接続元光ファイバ心線Ａ１が開放側面３ｂと直交する方向とは、接続元光ファイバ心線Ａ１の長手方向となる。各ケーブル連結部８ｂの幅は、連結する各種の光ファイバケーブルＣの中の最小直径の光ファイバケーブルＣに応じて設定されており、最小直径の光ファイバケーブルＣであっても、締結バンドＦでケーブル連結部８ｂに容易かつ確実に連結可能となっている。さらには、一つの光ファイバケーブルＣに対して連結されるケーブル連結部８ｂの数は、光ファイバケーブルＣのケーブル径に応じて変動させることが可能で、これにより径の異なる多種の光ファイバケーブルＣであっても、そのケーブル径に対して最適な連結径でケーブル連結部８ｂに連結（締結等）させることが可能となっている。
【００２２】
アダプタ係合部９は、光成端箱１における中継アダプタＧの装着位置を挟んだその両側位置に設けられている。アダプタ係合部９の離間間隔は中継アダプタＧの幅と同等に設定されている。中継アダプタＧにはその周面両側に鍔Ｇａが設けられているが、一対のアダプタ係合部９それぞれの平面断面形状は、鍔Ｇａの幅と同等の対向隙間を有する＝の字状となっており、アダプタ係合部９の内側端９ａは、上下に連続して開放されている。中継アダプタＧが一対のアダプタ係合部９の間に挿入配置されると、鍔Ｇａそれぞれが内側端９ａの隙間に入り込んでアダプタ係合部９に係合することで中継アダプタＧそれぞれはアダプタ係合部９に係止される。アダプタ係合部９は、二つの中継アダプタＧが積層状態で係合可能な高さ寸法を有しており、これにより一対のアダプタ係合部９に二つの中継アダプタＧが係合される。さらに、蓋体３がベース体２に装着された状態では、蓋体３の裏面によってアダプタ係合部９の内側端９ａの上部が閉塞されるようになっており、これにより中継アダプタＧが抜け止めされる。本実施の形態では、以上の構成を備えた一対のアダプタ係合部９は２組並列配置されており、これにより計４つの中継アダプタＧが光成端箱１に装着可能となっている。
【００２３】
テンションメンバクランプ１２は、ベース体２の部材載置面２ａに設けられている。テンションメンバクランプ１２は、ケーブル把持部８に把持された光ファイバケーブルＣのテンションメンバＢを把持可能な結合螺旋部から構成されている。
【００２４】
棚板４の上面に設けられた線状突起２０は、次の構造を有している。線状突起２０は、棚板４の四辺（図１における上辺/下辺/右辺/左辺）それぞれに計４個設けられている第２の心線押さえ７のうち、棚板４の図１中の右辺側にある第２の心線押さえ７（以下、第２の心線押さえ７Ｒと称す）の近傍に設けられている。具体的には線状突起２０は、第２の心線押さえ７Ｒの先端７ａの端部下方に位置している。線状突起２０は、棚板４の上面を棚板４の図１中の上下方向に沿って線状に凸状加工することで形成されている。第２の心線押さえ７Ｒは、棚板４の図１中の下辺を挟んでアダプタ係合部９と対向配置されており、線状突起２０もアダプタ係合部９に向けて線配置されている。第２の心線押さえ７Ｒの先端と棚板４の上面との間の離間間隔（垂直方向距離）は、分岐スリーブＪの外径と同等に設定されている。また、線状突起２０と第２の心線押さえ７Ｒの立ち上がり部位７ｂとの間の離間距離（水平方向距離）は、分岐スリーブＪの外径より若干大きく設定されている。
【００２５】
以下、光成端箱１による光ファイバ心線Ａの収納を説明する。図４に示すように、棚板４がヒンジ５から取り外された状態、もしくは図３に示すように、棚板４がベース体２の上方に回動退避した状態で、１つもしくは複数の光ファイバケーブルＣがベース体２における開放側面（蓋体３によって閉塞されずに開放される図１〜図４の下側に位置する側面）からベース体２内に引き込まれたうえで、ケーブルＣの一端がケーブル把持部８で把持される。なお、図３では、棚板４は回動退避しており、図４では、棚板４は取り外されている。また各図では、２つの光ファイバケーブルＣがケーブル把持部８に把持されている。光ファイバケーブルＣは、例えば、締結バンドＦでケーブル連結部８ｂに締結処理等で連結されることでケーブル把持部８に把持される。ここで、把持される光ファイバケーブルＣは、図６に示すように、最小直径の光ファイバケーブルＣである場合には、一つの光ファイバケーブルＣに対して一つのケーブル連結部８ｂが連結される。一方、大径の光ファイバケーブルＣである場合には、図５に示すように、一つの光ファイバケーブルＣに対して二つもしくは三つ以上のケーブル連結部８ｂが連結される。光ファイバケーブルＣがテンションメンバＢを有する場合には、図５に示すように、光ファイバケーブルＣからテンションメンバＢが引き出されてテンションメンバクランプ１２に連結される。
【００２６】
図３、図４に示すように、このようにして光ファイバケーブルＣの一端が光成端箱１に把持された状態で光ファイバケーブルＣから複数の接続元光ファイバ心線Ａ１が、十分な融着接続余長部Ａ１ａを設けた状態で引き出される。融着接続余長部Ａ１ａは巻回されて第１の収納空間１３に収納される。収納された融着接続余長部Ａ１ａは、第１の収納空間１３の周囲に配置された第１の心線押さえ６により巻回径方向に沿った広がりが規制され、さらに、第１の心線押さえ６の先端６ａによって巻回軸方向に沿った広がりが規制される。これにより、融着接続余長部Ａ１ａは整頓された状態で第１の収納空間１３に収納される。
【００２７】
さらにこの状態で複数の接続元光ファイバ心線Ａ１に含まれる一つまたは複数の任意の光ファイバ心線Ａ１の先端に接続先光ファイバ心線Ａ２の基端が光融着部Ｅを介して光接続される。心線の光接続を済ました光融着部Ｅは、さらに突起１０（突起組）によって挟持され、光融着部Ｅを挟持した突起１０は、弾性連結部１１によって連結される。これにより、光融着部Ｅは脱落することなく突起１０によって挟持される。接続元光ファイバ心線Ａ１が第１の収納空間１３に収納され、光融着部Ｅが突起１０に把持されたのち、図１、図２に示すように、ヒンジ５に装着されるもしくは復帰回動されることで棚板４は第１の心線押さえ先端６ａ上に載置される。このとき、貫通孔４ｂを介した第１の収納空間１３の目視観察により、接続元ファイバ心線Ａ１や光融着部Ｅの収納状態が良好であるかどうかが作業者により確認される。収納状態が良好でないと判断されると、棚板４が再度取り外されるまたは退避位置まで再度回動されたうえで、上述した接続元ファイバ心線Ａ１や光融着部Ｅの収納作業がやり直される。収納状態が良好であると判断されると、引き続いて接続先光ファイバ心線Ａ２の収納が行われる。
【００２８】
接続先光ファイバ心線Ａ２は十分な心線余長部Ａ２ａを有しており、心線余長部Ａ２ａが、切欠４ｃから棚板４の上面側に引き出される。棚板４の上面側に引き出された心線余長部Ａ２ａは巻回されて第２の収納空間１４に収納される。第２の収納空間１４に収納された心線余長部Ａ２ａは、第２の収納空間１４の周囲に配置された第２の心線押さえ７により巻回径方向に沿った広がりが規制され、さらに、第２の心線押さえ７の先端７ａによって巻回軸方向に沿った広がりが規制される。これにより、心線余長部Ａ２ａは整頓された状態で第２の収納空間１４に収納される。このとき、分岐スリーブＪは、第２の心線押さえ７Ｒの立ち上がり部位７ｂと第２の心線押さえ７Ｒの先端７ａと棚板４の上面とによって囲まれた領域に嵌め込まれて保持される。さらにこのとき、分岐スリーブＪは、線状突起２０を乗り越えて上記領域に嵌め込まれる。このようにして分岐スリーブＪが収納されるため、分岐スリーブＪが上記領域から脱落することは、領域外側に配置された線状突起２０によって十分に阻止される。
【００２９】
心線余長部Ａ２ａが第２の収納空間１４に収納されたのち、心線余長部Ａ２ａの先端側が光コネクタＤとともに収納空間１４から引き出される。引き出された光コネクタＤに中継アダプタＧが連結されて光接続される。さらに光コネクタＤに連結された中継アダプタＧがアダプタ係合部９に装着される。中継アダプタＧはもう一方の接続端が蓋体３の開放側面３ｂを臨む向きでアダプタ係合部９に装着される。なお、中継アダプタＧは、光コネクタＤに連結される前にアダプタ係合部９に装着されてもよい。
【００３０】
以上の光ファイバ心線の収納処理を行ったのち、ベース体２の部材載置面２ａが蓋体３によって封止される。その際、蓋体３の裏面によってアダプタ係合部９の上端を覆うことで、アダプタ係合部９から中継アダプタＧが抜け出すことが防止される。
【符号の説明】
【００３１】
１  光成端箱
２  ベース体
２ａ  部材載置面
２ｂ  側面
３  蓋体
３ａ  開放主面
３ｂ  開放側面
４  棚板
４ａ  一端
４ｂ  貫通孔
４ｃ  切欠
５  ヒンジ
６  第１の心線押さえ
６ａ  先端
７  第２の心線押さえ
７ａ  先端
７ｂ  立ち上がり部位
８  ケーブル把持部
８ａ  基部
８ｂ  ケーブル連結部
９  アダプタ係合部
１０  突起
１１  弾性連結部
１１ａ  連結孔
１２  テンションメンバクランプ
１３  第１の収納空間
１４  第２の収納空間
２０  線状突起
Ａ  光ファイバ心線
Ａ１  接続元光ファイバ心線
Ａ１ａ  融着接続余長部
Ａ２  接続先光ファイバ心線
Ａ２ａ  心線余長部
Ｂ  テンションメンバ
Ｃ  光ファイバケーブル
Ｄ  光コネクタ
Ｅ  光融着部
Ｆ  締結バンド
Ｇ  中継アダプタ
Ｇａ  鍔
Ｊ  分岐スリーブ
【図１】
0003181286.tif 000003
【図２】
0003181286.tif 000004
【図３】
0003181286.tif 000005
【図４】
0003181286.tif 000006
【図５】
0003181286.tif 000007
【図６】
0003181286.tif 000008